(57)【要約】【課題】流路内で凝縮した凝縮水を膜状の水分保有部材に保持させつつ、その凝縮水を膜状の水分保有部材に沿って流下させることにより、流路の流路面積の狭小化を抑制するのに有利な加湿装置を提供する。【解決手段】加湿装置は、水分を保有可能な膜状の水分保有部材３と、水分保有部材３の一方の表面に対向すると共に相対的に湿度が高い高湿度ガスが流れる高湿度ガス用流路４を形成すると共に、水分保有部材３の他方の表面に対向すると共に高湿度ガスよりも相対的に湿度が低い低湿度ガスが流れる低湿度ガス用流路５とを形成する流路形成部材２とを具備する。上から下に向かうにつれて高湿度ガス用流路４、水分保有部材３、低湿度ガス用流路５の順に配置されている。水分保有部材３は仮想水平線Ｈに対して傾斜状態に設定されている。【選択図】  図３
2006234276.tif 000002
【特許請求の範囲】
【請求項１】
水分を保有可能な膜状の水分保有部材と、
前記水分保有部材の一方の表面に対向すると共に相対的に湿度が高い高湿度ガスが流れる高湿度ガス用流路を形成すると共に、前記水分保有部材の他方の表面に対向すると共に高湿度ガスよりも相対的に湿度が低い低湿度用ガスが流れる低湿度ガス用流路とを形成する流路形成部材とを具備する加湿装置において、
鉛直方向において上から下に向かうにつれて、前記高湿度ガス用流路、前記水分保有部材、前記低湿度ガス用流路の順に配置されており、且つ、
前記水分保有部材は仮想水平線に対して傾斜状態または仮想水平線に対して傾斜可能とされていることを特徴とする加湿装置。
【請求項２】
請求項１において、仮想水平線に対する前記水分保有部材の傾斜角度を調整可能な角度調整手段が設けられていることを特徴とする加湿装置。
【請求項３】
請求項１において、加湿量の要請に応じて、仮想水平線に対する前記水分保有部材の傾斜角度を調整可能な角度調整手段が設けられていることを特徴とする加湿装置。
【請求項４】
請求項１〜３のうちのいずれか一項において、前記高湿度ガス用流路において高湿度ガスを下向きに流すように、高湿度ガス導入用の入口及び高湿度ガス導出用の出口が設定されており、且つ、
低湿度ガス用流路において低湿度ガスを上向きに流すように、低湿度ガス導入用の入口及び低湿度ガス導出用の出口が設定されていることを特徴とする加湿装置。
【発明の詳細な説明】
【技術分野】
【０００１】
本発明は膜状の水分保有部材を有する加湿装置に関する。
【背景技術】
【０００２】
燃料電池に用いられる加湿装置を例にとって説明する。燃料電池に設けられている電解質は過剰に乾燥していると、発電性能を目標どおり発揮しにくい。そこで、燃料電池に供給される酸化剤ガスを加湿するための燃料電池用の加湿装置が設けられている。従来、燃料電池用の加湿装置は、反応後の湿った酸化剤オフガスを通過させる高湿度ガス用流路と、反応前の酸化剤ガスを通過させる低湿度ガス用流路と、水分を保有可能な膜（水分保有部材）とをもつ。
【０００３】
この加湿装置は、図８にその要部を示すように、水分を保有可能な膜３Ｘと、膜３Ｘの一方の表面に対向する高湿度ガス用流路４Ｘを形成する流路形成部材２Ｘと、膜３Ｘの他方の表面に対向する低湿度ガス用流路５Ｘを形成する流路形成部材２Ｘとを備えている。膜３Ｘ、高湿度ガス用流路４Ｘ、低湿度ガス用流路５Ｘ、流路形成部材２Ｘは、鉛直方向に沿って配設されている。
【０００４】
また、特許文献１には、膜、高湿度ガス用流路、低湿度ガス用流路、流路形成部材を水平方向に沿って配設した加湿装置が開示されている。更に特許文献２には、膜、流路、流路形成部材を水平方向に沿って配設した加湿装置を有する燃料電池発電システムが開示されている。更に特許文献２では、燃料電池から吐出された発電後のオフガスが膜の上側の流路を流れ、燃料電池に供給される発電前の反応ガスが膜の下側の流路を流れる加湿装置が開示されている。
【特許文献１】特開２００４−１３９７８４号公報
【特許文献２】特開２００４−３１０７３号公報
【発明の開示】
【発明が解決しようとする課題】
【０００５】
上記した図８に要部を示す加湿装置によれば、流路形成部材２Ｘ側で凝縮した水２００Ｘは、鉛直方向の下方向に沿って流下するものの、膜３Ｘに接触する確率が小さいため、膜３Ｘの湿潤にはあまり寄与しない。このため流路形成部材２Ｘ側で水が凝縮して凝縮水が生成されたとしても、その凝縮水は加湿装置外に放出されることが多くなる。
【０００６】
特許文献１でも、流路形成部材側で凝縮した凝縮水は、膜の湿潤にはあまり寄与しない。特許文献２では、発電後の湿ったオフガスが膜の上側の流路を流れ、発電前の湿度が相対的に低い反応ガスが膜の下側の流路を流れるため、膜の上側の流路において凝縮した凝縮水を膜に移行させることができる。しかしながら膜、流路、流路形成部材は水平方向に沿って配設されているため、凝縮水が膜の表面に移行したとしても、その凝縮水は基本的には膜の表面に沿って流下しないため、膜の表面に移行した凝縮水が局部的に過剰に溜まり、流路の流路面積を小さくさせるおそれがある。
【０００７】
本発明は上記した実情に鑑みてなされたものであり、流路内で凝縮した凝縮水を膜状の水分保有部材に保持させつつ、その水を膜状の水分保有部材に沿って流下させることにより、流路の流路面積の狭小化を抑制するのに有利な加湿装置を提供することを課題とする。
【課題を解決するための手段】
【０００８】
本発明に係る加湿装置は、水分を保有可能な膜状の水分保有部材と、水分保有部材の一方の表面に対向すると共に相対的に湿度が高い高湿度ガスが流れる高湿度ガス用流路を形成すると共に、水分保有部材の他方の表面に対向すると共に高湿度ガスよりも相対的に湿度が低い低湿度ガスが流れる低湿度ガス用流路とを形成する流路形成部材とを具備する加湿装置において、
鉛直方向において上から下に向かうにつれて高湿度ガス用流路、水分保有部材、低湿度ガス用流路の順に配置されており、且つ、水分保有部材は仮想水平線に対して傾斜状態または仮想水平線に対して傾斜可能とされていることを特徴とするものである。
【０００９】
本発明に係る加湿装置によれば、相対的に湿度が高い高湿度ガスが高湿度ガス用流路に流れるとき、高湿度ガスは膜状の水分保有部材に接触するので、高湿度ガスに含まれている湿分は膜状の水分保有部材に移行し、水分保有部材を加湿させ、水分保有部材の湿潤度を増加させる。また、相対的に湿度が低い低湿度ガスが低湿度ガス用流路に流れるとき、低湿度ガスは膜状の水分保有部材に接触するので、膜状の水分保有部材の湿分は低湿度ガスに移行する。これにより低湿度ガスが水分保有部材を介して加湿される。
【００１０】
そして、相対的に湿度が高い高湿度ガスが高湿度ガス用流路に流れるとき、高湿度ガス用流路内において凝縮により水が生成することがある。この場合、高湿度ガス用流路は水分保有部材の上方に配置されているため、この水は重力により下降して水分保有部材に接触し、水分保有部材の湿潤度が増加する。従って水分保有部材への水分補充能力を高めることができ、水分保有部材の加湿能力を増加させるのに貢献できる。このように高湿度ガス用流路内において凝縮した水を水分保有部材に含水させて有効利用することができる。
【００１１】
また本発明に係る加湿装置によれば、水分保有部材は仮想水平線に対して傾斜状態または傾斜可能に設定されている。このため水分保有部材に接触している水を水分保有部材の傾きに沿って流下させることができる。この結果、水分保有部材において接触している水のムラを低減させるのに有利となる。更に、水分保有部材において水が局部的に存在することが抑制されるため、高湿度ガス用流路における流路面積の狭小化を抑制するのに有利となる。
【発明の効果】
【００１２】
本発明に係る加湿装置によれば、流路内で凝縮した水を膜状の水分保有部材に保持させつつ、その水を膜状の水分保有部材に沿って流下させることができるため、高湿度ガス用流路等の流路の流路面積の狭小化を抑制するのに有利である。
【発明を実施するための最良の形態】
【００１３】
膜状の水分保有部材は水分を保有可能なものである。高湿度ガス用流路は、水分保有部材の一方の表面に対向する。低湿度ガス用流路は水分保有部材の他方の表面に対向する。高湿度ガス用流路は、相対的に湿度が高い高湿度ガスが流れる。低湿度ガス用流路は、高湿度ガスよりも相対的に湿度が低い低湿度ガスが流れる。高湿度ガス及び低湿度ガスの湿度は相対的な高低を意味するものであり、絶対的湿度の高低を意味するものではない。ガスとしては気体であれば、よく、空気等の酸素含有ガス、燃料ガス等を例示できる。
【００１４】
鉛直方向において上から下に向かうにつれて高湿度ガス用流路、水分保有部材、低湿度ガス用流路の順に配置されている。従って水分保有部材の上方に高湿度ガス用流路が形成されている。水分保有部材の下方に低湿度ガス用流路が形成されている。
【００１５】
水分保有部材は仮想水平線に対して傾斜状態または傾斜可能に設定されている。傾斜の角度が大きすぎると、図８に示す従来の垂直タイプに接近するため、凝縮水の利用率が低下する。傾斜の角度が小さすぎると、凝縮水を水分保有部材に沿って流下させにくい。これらの事情を考慮して傾斜の角度を適宜選択できる。仮想水平線に対する水分保有部材の傾斜角度を調整可能な角度調整手段が設けられていることが好ましい。角度調整手段は一般的には加湿装置を傾斜させることにより形成できる。角度調整手段の機構は特に限定されない。
【００１６】
また、加湿量の要請に応じて、仮想水平線に対する水分保有部材の傾斜角度を調整可能な角度調整手段が設けられている形態を例示することができる。この場合には加湿量の変動に対処し易い。
【００１７】
好ましくは、高湿度ガス用流路において高湿度ガスを下向きに流すように、高湿度ガス用の入口及び高湿度ガス用の出口が設定されている形態を採用することができる。また、好ましくは、低湿度ガス用流路において低湿度ガスを上向きに流すように、低湿度ガス用の入口及び低湿度ガス用の出口が設定されている形態を採用することができる。
【実施例１】
【００１８】
以下、本発明の実施例１について図１〜図３を参照しつつ具体的に説明する。本実施例は、酸化剤極１０１及び燃料極１０２を有する燃料電池１００に用いられる加湿装置１（ガス流路形成装置）に適用したものである。図１に示すように、燃料電池用の加湿装置１は、第１エンドプレート１１と第２エンドプレート１２との間に、流路形成部材として機能できる複数のセパレータ２を厚み方向に積層して形成されている。セパレータ２は流路形成部材として機能するものであり、ガス流通用の孔２ａ，２ｂ，２ｃ，２ｄを有する。
【００１９】
図２に示すように加湿装置１の全体は傾斜手段７により傾斜されている。傾斜手段７は、加湿装置１の一端１ｅ側を保持する部位７１と、加湿装置１の他端１ｆ側を保持する部位７２とを備えている。
【００２０】
図３に示すように２つのセパレータ２の間には、水分を透過可能な樹脂を基材とするイオン交換膜で形成されたシート状の水分保有部材として機能できる膜３が介在している。ここで、膜３の一方の表面３ａ（上面）に対向する高湿度ガス用流路４がセパレータ２と膜３とにより形成されている。更に、膜３の他方の表面３ｃ（下面）に対向する低湿度ガス用流路５がセパレータ２と膜３とにより形成されている。従って、膜３により高湿度ガス用流路４及び低湿度ガス用流路５が仕切られている。
【００２１】
燃料電池１００の酸化剤極１０１では発電反応に伴い水が生成される。高湿度ガス用流路４は、燃料電池１００の酸化剤極１０１から排出された湿度が相対的に高い発電後の空気オフガスである高湿度ガスを流すためのものである。低湿度ガス用流路５は、燃料電池１００の酸化剤極１０１に向かう湿度が相対的に低い発電前の空気である低湿度ガスを流すためのものである。ここで、高湿度ガスと低湿度ガスとの流れは基本的には互いに対向している対向流方式に設定されている。
【００２２】
図１に示すように、第１エンドプレート１１は高湿度ガス用流路４に連通する高湿度ガス導入用の第１入口６１をもち、第２エンドプレート１２は高湿度ガス用流路４に連通する高湿度ガス導出用の第１出口６２をもつ。従って、燃料電池１００の酸化剤極１０１のポート１０１ｆから排出された高湿度ガスは、流路４００を介して、第１入口６１、高湿度ガス用流路４、第１出口６２の順に流れる。このとき図３に示すように、高湿度ガスは膜３の表面３ａに接触するため、膜３に湿分を与え、膜３を吸湿させる。
【００２３】
従って本実施例によれば、図１から理解できるように、高湿度ガス用流路４においてガスを斜め下向き（矢印Ｙ２方向）に流すように、高湿度ガス導入用の第１ガス入口６１は加湿装置１の上部側に設定され、高湿度ガス導出用の第１出口６２は加湿装置１の下部側に設定されている。
【００２４】
図１に示すように、加湿装置１の第２エンドプレート１２は、低湿度ガス用流路５に連通する低湿度ガス導入用の第２入口６３をもち、第１エンドプレート１１は低湿度ガス用流路５に連通する低湿度ガス導出用の第２出口６４をもつ。従って、湿度が相対的に低い空気である低湿度ガスは、第２入口６３、低湿度ガス用流路５、第２出口６４の順に流れ、流路４０２を介して燃料電池１００の酸化剤極１０１のポート１０１ｅに向かい、発電反応に使用される。このとき、図３から理解できるように、湿度が相対的に低い低湿度ガスは、湿潤状態の膜３の表面３ｃに接触するため、膜３から湿分を与えられ、膜３により加湿される。このように加湿された低湿度ガスが燃料電池１００の酸化剤極１０１に供給されるため、燃料電池１００の内部の電解質膜の過剰乾燥が抑制され、発電性能が良好に確保される。
【００２５】
従って本実施例によれば、図１から理解できるように、低湿度ガス用流路５においてガスを斜め上向き（矢印Ｙ１方向）に流すように、低湿度ガス導入用の第２ガス入口６３は加湿装置１の下部側に設定され、低湿度ガス導出用の第２出口６４は加湿装置１の上部側に設定されている。
【００２６】
図３に示すように、高湿度ガス用流路４は、膜３の一方の表面３ａ（上面）に対向する。低湿度ガス用流路５は膜３の他方の表面３ｃ（下面）に対向する。そして、燃料電池１００から排出された相対的に湿度が高い高湿度ガスは、高湿度ガス用流路４を流れる。燃料電池１００に供給される発電前の湿度が低い低湿度ガスは、低湿度ガス用流路５を流れる。
【００２７】
図３に示すように、鉛直方向（矢印ＹＵ方向）において上から下に向かうにつれて、高湿度ガス用流路４、膜３、低湿度ガス用流路５の順に配置されている。従って、膜３の上方に高湿度ガス用流路４が形成されていると共に、膜３の下方に低湿度ガス用流路５が形成されている。なお、図３は積層形態の一部のみ図示している。
【００２８】
本実施例によれば、図３に示すように、膜３は仮想水平線Ｈに対して角度θ１傾斜している状態に設定されている。同様に、高湿度ガス用流路４、低湿度ガス用流路５及びセパレータ２は、仮想水平線Ｈに対して角度θ１傾斜している状態に設定されている。
【００２９】
以上説明したように本実施例によれば、相対的に湿度が高い高湿度ガスが高湿度ガス用流路４に流れるとき、高湿度ガスの湿分は膜３に移行し、膜３を加湿させ、膜３の湿潤度を増加させる。また、相対的に湿度が低い低湿度ガスが低湿度ガス用流路５に流れるとき、膜３の湿分は低湿度ガスに移行する。これにより低湿度用ガスが膜３を介して加湿される。
【００３０】
そして、相対的に湿度が高い高湿度ガスが高湿度ガス用流路４に流れるとき、高湿度ガス用流路４内において凝縮により水が生成することがある。この場合、高湿度ガス用流路４は膜３の上方に配置されているため、このように凝縮された水２００は重力により下降して膜３の表面３ａに接触する。このように凝縮された水２００が膜３に接触する確率が高くなるため、膜３の湿潤度を増加させる。従って膜３への水分補充能力を高めることができ、膜３の加湿能力を増加させる。この結果、高湿度ガス用流路４内において凝縮した水を膜３に含水させ、低湿度ガスを加湿する加湿水として有効利用することができる。
【００３１】
また実施例によれば、図３に示すように膜３は仮想水平線Ｈに対して角度θ１傾斜した状態に設定されている。このため膜３に接触している水を膜３の傾きに沿って、つまり矢印Ｙ３方向にそって斜めに流下させることができる。この結果、膜３に保持されている水の均一化に貢献でき、膜３に保持されている水のムラを低減させるのに有利となる。
【００３２】
更に、膜３に接触している水を膜３の傾きに沿って矢印Ｙ３方向に斜めに流下させることができるため、膜３において水が集中して局部的に存在することが抑制される。このため、高湿度ガス用流路４の流路面積の狭小化を抑制することができ、高湿度ガス用流路４における水の詰まりを抑制することができる。同様に、低湿度ガス用流路５の流路面積の狭小化を抑制することができ、低湿度ガス用流路５における水の詰まりを抑制することができる。この場合、加湿装置１の加湿能力の増加、燃料電池１００の発電性能の向上に有利である。
【００３３】
殊に本実施例によれば、高湿度ガスは高湿度ガス用流路４を斜め下向き（矢印Ｙ３方向）に流れる。つまり、高湿度ガスが流れる基本方向と、膜３の下降傾斜方向とが同じ向きである。このため、膜３に接触している水を膜３の傾きに沿って高湿度ガスが押し出す作用を期待できる。故、膜３において接触している水分のムラを一層低減させるのに有利となる。
【実施例２】
【００３４】
図４は実施例２を示す。本実施例は実施例１と基本的には同様の構成、作用効果を有する。以下、実施例１と相違する部分を中心として説明する。本実施例によれば、仮想水平線Ｈに対して加湿装置１の角度θ１を連続的に調整可能な角度調整手段８が設けられている。従って仮想水平線Ｈに対して加湿装置１の膜３の角度θ１を必要に応じて調整可能である。図４に示すように、角度調整手段８はネジ軸方式であり、加湿装置１に設けられたブラケット８０と、ブラケット８０を介して加湿装置１を上下方向（矢印Ｒ１，Ｒ２方向）揺動可能とする横軸型の枢支軸部８１と、基体８２に設けられ雄ネジ部８４を有する昇降可能な縦方向に沿ったネジ軸８３と、ネジ軸８３を回転させるハンドル状の操作部８５とを有する。ネジ軸８３の雄ネジ部８４は基体８２の雌ネジ部８２ｘに螺進退可能に螺合している。緩め部材８９を緩めた状態で、操作部８５を操作して一方向に回転させれば、ネジ軸８３がこれの軸芯８６の回りで一方向に回転し、枢支軸部８１を中心として加湿装置１の一端１ｅを上昇（矢印Ｒ１方向）させることができる。また締め部材８９を緩めた状態で、操作部８５を操作して他方向に回転させれば、ネジ軸８３がこれの軸芯８６の回りで他方向に回転し、枢支軸部８１を中心として加湿装置１の一端１ｅを下降（矢印Ｒ２方向）させることができる。これにより加湿装置１の一端１ｅを昇降させて加湿装置１の角度θ１を調整することができる。角度調整が終了すれば、締め部材８９を締め、ネジ軸８３の無用な回転を防止する。
【００３５】
なお、加湿装置１が水平状態またはほぼ水平状態に設置されるときには、加湿装置１の下面２ｄはストッパ部８８の支持面８８ａに支持される。従って加湿装置１は、水平位置と傾斜揺動位置とに切替可能に設定されている。
【００３６】
第１エンドプレート１１に付設されている第１入口６１，第２出口６４には、可撓管３００，３０１が接続されている。また第２エンドプレート１２に付設されている第１入口６２，第２出口６３には、可撓管３０２，３０３が接続されている。可撓管３００，３０１，３０２，３０３は可撓性を有するため、加湿装置１の角度θ１の変化に対応することができる。なお、角度調整手段はネジ軸方式に限られるものではなく、ピニオンを回転させてラックを相対的に昇降させるラックアンドピニオン方式等を採用しても良い。
【実施例３】
【００３７】
図５は実施例３を示す。本実施例は実施例１，２と基本的には同様の構成、作用効果を有する。以下、実施例１，２と相違する部分を中心として説明する。本実施例においても、膜３の上方に高湿度ガス用流路４が形成されていると共に、膜３の下方に低湿度ガス用流路５が形成されている。高湿度ガスと低湿度ガスとの流れは、互いに対向流方式に設定されている。即ち、図５から理解できるように、高湿度ガス用流路４において高湿度ガスを斜め上向き（矢印Ｙ５方向）に流すように、且つ、低湿度ガス用流路５において低湿度ガスを斜め下向き（矢印Ｙ６方向）に流すように設定されている。
【００３８】
本実施例においても、実施例１と同様に、相対的に湿度が高い高湿度ガスが高湿度ガス用流路４に流れるとき、高湿度ガスの湿分は膜３に移行し、膜３を加湿させ、膜３の湿潤度を増加させる。また、相対的に湿度が低い低湿度ガスが低湿度ガス用流路５に流れるとき、膜３の湿分は低湿度ガスに移行する。これにより低湿度用ガスが膜３を介して加湿される。
【００３９】
そして、高湿度ガスが高湿度ガス用流路４に流れるとき、高湿度ガス用流路４内において凝縮により水が生成することがある。この場合、高湿度ガス用流路４は膜３の上方に配置されているため、このように凝縮された水２００は重力により下降して膜３に接触し、膜３の湿潤度を増加させる。従って膜３への水分補充能力を高めることができ、膜３の加湿能力を増加させるのに貢献できる。このように高湿度ガス用流路４内において凝縮した水を膜３に含水させ、加湿水として有効利用することができる。
【実施例４】
【００４０】
図６は実施例４を示す。本実施例は実施例１，２と基本的には同様の構成、作用効果を有する。以下、実施例１，２と相違する部分を中心として説明する。本実施例においても、膜３の上方に高湿度ガス用流路４が形成されていると共に、膜３の下方に低湿度ガス用流路５が形成されている。高湿度ガスと低湿度ガスとの流れは、基本的には互いに同じ向きとなる方式に設定されている。即ち、図６から理解できるように、高湿度ガス用流路４において高湿度ガスを斜め下向き（矢印Ｙ２方向）に流すように、且つ、低湿度ガス用流路５において低湿度ガスを斜め下向き（矢印Ｙ７方向）に流すように設定されている。
【００４１】
本実施例においても高湿度ガスが高湿度ガス用流路４に流れるとき、高湿度ガス用流路４内において凝縮により水が生成することがある。この場合、高湿度ガス用流路４は膜３の上方に配置されているため、このように凝縮された水２００は重力により下降して膜３に接触し、膜３の湿潤度を増加させる。従って膜３への水分補充能力を高めることができ、膜３の加湿能力を増加させるのに貢献できる。このように高湿度ガス用流路４内において凝縮した水を膜３に含水させ、加湿水として有効利用することができる。
【実施例５】
【００４２】
図７は実施例５を示す。本実施例は実施例２と基本的には同様の構成、作用効果を有する。以下、実施例２と相違する部分を中心として説明する。本実施例においても、仮想水平線Ｈに対して加湿装置１の角度θ１を連続的に調整可能な角度調整手段９が設けられている。従って加湿量の要請に応じて、仮想水平線Ｈに対して加湿装置１の膜３の角度θ１を調整できる。この場合、図７に示すように、角度調整手段９は、加湿装置１に設けられた支持部９０と、支持部９０を回動させ得るように支持部９０に配設されたモータ軸９１をもつモータ装置９２（駆動装置）とを有する。制御装置９５によりモータ装置９２を回転駆動させれば、モータ軸９１が適宜回動し、加湿装置１を上下方向（矢印Ｒ１，Ｒ２方向）に揺動させ、加湿装置１を傾斜させることができる。
【００４３】
この場合、燃料電池の発電条件に応じて、例えば、燃料電池に供給される発電前の空気の湿度や温度、燃料電池から吐出される空気オフガスの湿度や温度、発電開始時のように燃料電池で生成される生成水が少ないときといった事情に応じて、制御装置９５はモータ装置９２の駆動量を制御して加湿装置１の角度θ１を変化させることができ、ひいては加湿装置１の加湿能力を調整できる。
【００４４】
例えば、燃料電池に供給する発電前の空気の湿度が相対的に低いとき等のように、加湿装置１の加湿能力を高める必要性があるときには、加湿装置１の角度θ１を高湿度用モード（高湿度ガス用流路４において凝縮した水の利用率を高めるモード：θ１は例えば１５〜３５度）に設定することができる。また、燃料電池に供給する発電前の空気の湿度が相対的に高いとき等のように、加湿装置１の加湿能力が相対的に小さく済むときには、加湿装置１の角度θ１を低湿度用モード（高湿度ガス用流路４において凝縮した水の利用率をあまり高くしないモード：θ１は例えば８０〜９０度）に設定することができる。
（他の例）
上記した各実施例によれば、加湿装置１は燃料電池発電システムに適用されているが、これに限らず他のシステムに適用しても良い。その他、本発明は上記し且つ図面に示した実施例のみに限定されるものではなく、要旨を逸脱しない範囲内で適宜変更して実施できるものである。
【産業上の利用可能性】
【００４５】
本発明は、燃料電池発電システム等に使用される加湿装置に利用することができる。
【図面の簡単な説明】
【００４６】
【図１】加湿装置の構造を模式的に示す斜視図である。
【図２】傾斜している加湿装置を示す側面図である。
【図３】高湿度ガス用流路および低湿度ガス用流路を膜で仕切っている状態を模式的に示す要部の断面図である。
【図４】実施例２に係り、傾斜している加湿装置を示す側面図である。
【図５】実施例３に係り、高湿度ガス用流路および低湿度ガス用流路を膜で仕切っている状態を模式的に示す断面図である。
【図６】実施例４に係り、高湿度ガス用流路および低湿度ガス用流路を膜で仕切っている状態を模式的に示す断面図である。
【図７】実施例５に係り、傾斜している加湿装置を示す側面図である。
【図８】従来技術に係り、高湿度ガス用流路および低湿度ガス用流路を膜で仕切っている状態を模式的に示す構成図である。
【符号の説明】
【００４７】
図中、１は加湿装置、２はセパレータ（流路形成部材）、３は膜（水分保有部材）、４は高湿度ガス用流路、５は低湿度ガス用流路、８は角度調整機構、１００は燃料電池を示す。
【図１】
2006234276.tif 000003
【図２】
2006234276.tif 000004
【図３】
2006234276.tif 000005
【図４】
2006234276.tif 000006
【図５】
2006234276.tif 000007
【図６】
2006234276.tif 000008
【図７】
2006234276.tif 000009
【図８】
2006234276.tif 000010